(57)【要約】【課題】望遠端での最大半画角が３．３°程度の、高速オートフォーカスが可能で像ぶれ補正機能を搭載し、結像特性が良好でコンパクトなズームレンズ系、それを用いたカメラシステムを提供する。【解決手段】物体側から正パワーの第１レンズ群、負パワーの第２レンズ群、正パワーの第３レンズ群、負パワーの第４レンズ群、正パワーの第５レンズ群、負パワーの第６レンズ群を備え、第５レンズ群は、物体側から第５ａレンズ群、該第５ａレンズ群とズーミング時に変化しない空気間隔を介して配置される第５ｂレンズ群を有し、ズーミング時、第１レンズ群と第２レンズ群の空気間隔、第３レンズ群と第４レンズ群の空気間隔が、共に広角端より望遠端で長くなるように各レンズ群の間隔を変化させ、フォーカシング時、第６レンズ群を光軸に沿って移動させ、系全体の振動による像ぶれの補正時、第５ｂレンズ群を光軸と垂直な方向に平行移動させるズームレンズ系。【選択図】図１
2008304857.tif 000002
【特許請求の範囲】
【請求項１】
物体側から像側へ順に、正のパワーを有する第１レンズ群と、負のパワーを有する第２レンズ群と、正のパワーを有する第３レンズ群と、負のパワーを有する第４レンズ群と、正のパワーを有する第５レンズ群と、負のパワーを有する第６レンズ群とを備え、
前記第５レンズ群は、物体側から第５ａレンズ群と、当該第５ａレンズ群とズーミング時に変化しない空気間隔を介して配置される第５ｂレンズ群とを有し、
ズーミングに際して、前記第１レンズ群と前記第２レンズ群の間の空気間隔が広角端より望遠端で長く、前記第３レンズ群と前記第４レンズ群の間の空気間隔が広角端より望遠端で長く、なるように各レンズ群の間の間隔を変化させ、
フォーカシングに際して、前記第６レンズ群を光軸に沿って移動させ、
系全体の振動による像ぶれの補正に際して、前記第５ｂレンズ群を光軸と垂直な方向に平行移動させる、ズームレンズ系。
【請求項２】
前記第２レンズ群は、像面に対して固定である、請求項１に記載のズームレンズ系。
【請求項３】
前記第２レンズ群は、最も物体側に互いに異なる符合のパワーを持つレンズ素子を接合してなる接合レンズ素子を有する、請求項１に記載のズームレンズ系。
【請求項４】
以下の条件を満足する、請求項１に記載のズームレンズ系：
０．４＜ｆ1／ｆT＜０．７
（ただし、ｆT／ｆW＞３．８、ωT＜３．３）
ここで、
ｆ1：第１レンズ群の焦点距離、
ｆT：望遠端における全系の焦点距離、
ｆW：広角端における全系の焦点距離、
ωT：望遠端での最大半画角（°）
である。
【請求項５】
以下の条件を満足する、請求項１に記載のズームレンズ系：
０．１＜｜ｆ2｜／ｆT＜０．１６
（ただし、ｆT／ｆW＞３．８、ωT＜３．３）
ここで、
ｆ2：第２レンズ群の焦点距離、
ｆT：望遠端における全系の焦点距離、
ｆW：広角端における全系の焦点距離、
ωT：望遠端での最大半画角（°）
である。
【請求項６】
以下の条件を満足する、請求項１に記載のズームレンズ系：
０．１＜｜ｆ4｜／ｆT＜０．３５
（ただし、ｆT／ｆW＞３．８、ωT＜３．３）
ここで、
ｆ4：第４レンズ群の焦点距離、
ｆT：望遠端における全系の焦点距離、
ｆW：広角端における全系の焦点距離、
ωT：望遠端での最大半画角（°）
である。
【請求項７】
以下の条件を満足する、請求項１に記載のズームレンズ系：
０．１８＜｜ｆ6｜／ｆT＜０．２６
（ただし、ｆT／ｆW＞３．８、ωT＜３．３）
ここで、
ｆ6：第６レンズ群の焦点距離、
ｆT：望遠端における全系の焦点距離、
ｆW：広角端における全系の焦点距離、
ωT：望遠端での最大半画角（°）
である。
【請求項８】
以下の条件を満足する、請求項１に記載のズームレンズ系：
０．２＜ｆ5b／ｆT＜０．３
（ただし、ｆT／ｆW＞３．８、ωT＜３．３）
ここで、
ｆ5b：第５ｂレンズ群の焦点距離、
ｆT：望遠端における全系の焦点距離、
ｆW：広角端における全系の焦点距離、
ωT：望遠端での最大半画角（°）
である。
【請求項９】
前記第５ｂレンズ群は、正のパワーを有するレンズ素子と、負のパワーを有するレンズ素子とからなり、以下の条件を満足する、請求項１に記載のズームレンズ系：
ｎp＞１．６５
ここで、
ｎp：第５ｂレンズ群の正レンズ素子の屈折率
である。
【請求項１０】
以下の条件を満足する、請求項１に記載のズームレンズ系：
２．１＜β6T＜２．７
（ただし、ｆT／ｆW＞３．８、ωT＜３．３）
ここで、
β6T：第６レンズ群の望遠端における無限遠合焦状態の倍率、
ｆT：望遠端における全系の焦点距離、
ｆW：広角端における全系の焦点距離、
ωT：望遠端での最大半画角（°）
である。
【請求項１１】
物体の光学的な像を電気的な画像信号に変換し、変換された画像信号の表示及び記憶の少なくとも一方を行うカメラシステムであって、
物体の光学像を変倍可能に形成するズームレンズ系を含む交換レンズ装置と、
前記交換レンズ装置と着脱可能に接続され、前記ズームレンズ系が形成する光学像を受光して、電気的な画像信号に変換する撮像素子を含むカメラ本体とを備え、
前記ズームレンズ系は、
物体側から像側へ順に、正のパワーを有する第１レンズ群と、負のパワーを有する第２レンズ群と、正のパワーを有する第３レンズ群と、負のパワーを有する第４レンズ群と、正のパワーを有する第５レンズ群と、負のパワーを有する第６レンズ群とを備え、
前記第５レンズ群は、物体側から第５ａレンズ群と、当該第５ａレンズ群とズーミング時に変化しない空気間隔を介して配置される第５ｂレンズ群とを有し、
ズーミングに際して、前記第１レンズ群と前記第２レンズ群の間の空気間隔が広角端より望遠端で長く、前記第３レンズ群と前記第４レンズ群の間の空気間隔が広角端より望遠端で長く、なるように各レンズ群の間の間隔を変化させ、
フォーカシングに際して、前記第６レンズ群を光軸に沿って移動させ、
系全体の振動による像ぶれの補正に際して、前記第５ｂレンズ群を光軸と垂直な方向に平行移動させる、ズームレンズ系である、カメラシステム。
【発明の詳細な説明】
【技術分野】
【０００１】
本発明は、ズームレンズ系及びカメラシステムに関し、詳しくは、いわゆるデジタル一眼レフレックスカメラシステムの交換レンズ装置に用いられる撮像光学系として好適なズームレンズ系、及びその交換レンズ装置を含むカメラシステムに関する。
【背景技術】
【０００２】
ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を持つカメラ本体と、撮像素子の受光面に光学像を形成するための撮像光学系を備えた交換レンズ装置とを備え、撮像レンズ系をカメラ本体から着脱可能にしたデジタル一眼レフレックスカメラシステムの市場が急速に拡大している。このような交換レンズ装置は、光学像を変倍可能に形成できるズームレンズ系を搭載したものに人気がある。
【０００３】
ズームレンズ系のうち、特に、望遠系のズームレンズ系は、望遠端の焦点距離が長いことから、光学全長（最も物体側のレンズ面の頂点から像面までの距離）が長くなりやすい。そのため、最も物体側に正のパワーのレンズ群を配置し、最も像側に負のパワーのレンズ群を配置することにより、望遠端における光学全長が望遠端の焦点距離より短くなるようにした構成が多い。
【０００４】
望遠系のズームレンズ系において、諸収差を小さくするために、レンズ群数を多くした構成が提案されており、例えば、正負正負正負の６つのレンズ群を用いた構成がある（例えば、特許文献１）。また、望遠系のズームレンズ系では、望遠端の焦点距離が長いために、振動による像ぶれが発生しやすい。そこで、レンズ系全体の姿勢変化に対応させて一部のレンズ群を光軸と垂直な方向に平行移動させる方式が提案されている（例えば、特許文献２、３、４）。特許文献２、３、４に開示の望遠系のズームレンズ系は、物体側から順に正負正負正負の６つのレンズ群で構成し、物体側から２番目に位置する第２レンズ群を光軸と垂直な方向に平行移動させることにより像ぶれ補正を行うようにしている。
【０００５】
さらに、特許文献２に開示のズームレンズ系は、近距離撮影時の結像特性を良好にすることを狙って、第４レンズ群と第６レンズ群との２つのレンズ群の移動によりフォーカシングを行うようにしている。
【特許文献１】特許第３３１３８７９号公報
【特許文献２】特開２０００−４７１０７号公報
【特許文献３】特開２００７−３６００号公報
【特許文献４】特許第３７０６６４４号公報
【発明の開示】
【発明が解決しようとする課題】
【０００６】
望遠ズームレンズのフォーカシングは最も物体側の第１群を移動させる方式が一般的であった。第１群の移動によるフォーカシング方式は、第１レンズ群が大きく重いために、高速オートフォーカスができないという問題がある。
【０００７】
しかしながら、特許文献１、３、４のズームレンズ系は、フォーカシングについて何ら言及していない。特許文献２のズームレンズ系は、第４レンズ群と第６レンズ群との２つのレンズ群の移動によりフォーカシングを行うようにしているため、鏡筒構成の複雑化が不可避であり、高速オートフォーカスを行うことが困難である。
【０００８】
また、特許文献１のズームレンズ系は、像ぶれ補正について何ら言及していない。特許文献２、３、４の望遠ズームレンズは、第２レンズ群の光軸と垂直な方向への平行移動により像ぶれ補正を行うようにしているが、第２レンズ群が３枚で構成されていることから、重量が重い。そのために、第２レンズ群を平行移動させるアクチュエータが大きくなり、鏡筒外径が大きくなるという問題がある。
【０００９】
本発明は、望遠端での最大半画角が３．３°程度の、高速オートフォーカスが可能で、像ぶれ補正機能を搭載し、結像特性が良好でコンパクトなズームレンズ系、またそのズームレンズ系を用いたカメラシステムを提供することを目的とする。
【課題を解決するための手段】
【００１０】
上記目的の一つは、以下のズームレンズ系によって達成される。すなわち本発明のズームレンズ系は、物体側から像側へ順に、正のパワーを有する第１レンズ群と、負のパワーを有する第２レンズ群と、正のパワーを有する第３レンズ群と、負のパワーを有する第４レンズ群と、正のパワーを有する第５レンズ群と、負のパワーを有する第６レンズ群とを備え、第５レンズ群は、物体側から第５ａレンズ群と、当該第５ａレンズ群とズーミング時に変化しない空気間隔を介して配置される第５ｂレンズ群とを有し、ズーミングに際して、第１レンズ群と第２レンズ群の間の空気間隔が広角端より望遠端で長く、第３レンズ群と第４レンズ群の間の空気間隔が広角端より望遠端で長く、なるように各レンズ群の間の間隔を変化させ、フォーカシングに際して、第６レンズ群を光軸に沿って移動させ、系全体の振動による像ぶれの補正に際して、第５ｂレンズ群を光軸と垂直な方向に平行移動させる。
【００１１】
また上記目的の一つは、以下のカメラシステムによって達成される。すなわち本発明のカメラシステムは、物体の光学的な像を電気的な画像信号に変換し、変換された画像信号の表示及び記憶の少なくとも一方を行うカメラシステムであって、物体の光学像を変倍可能に形成するズームレンズ系を含む交換レンズ装置と、前記交換レンズ装置と着脱可能に接続され、前記ズームレンズ系が形成する光学像を受光して、電気的な画像信号に変換する撮像素子を含むカメラ本体とを備え、前記ズームレンズ系は、物体側から像側へ順に、正のパワーを有する第１レンズ群と、負のパワーを有する第２レンズ群と、正のパワーを有する第３レンズ群と、負のパワーを有する第４レンズ群と、正のパワーを有する第５レンズ群と、負のパワーを有する第６レンズ群とを備え、前記第５レンズ群は、物体側から第５ａレンズ群と、当該第５ａレンズ群とズーミング時に変化しない空気間隔を介して配置される第５ｂレンズ群とを有し、ズーミングに際して、前記第１レンズ群と前記第２レンズ群の間の空気間隔が広角端より望遠端で長く、前記第３レンズ群と前記第４レンズ群の間の空気間隔が広角端より望遠端で長く、なるように各レンズ群の間の間隔を変化させ、フォーカシングに際して、前記第６レンズ群を光軸に沿って移動させ、系全体の振動による像ぶれの補正に際して、前記第５ｂレンズ群を光軸と垂直な方向に平行移動させる、ズームレンズ系である。
【発明の効果】
【００１２】
本発明によれば、望遠端での最大半画角が３．３°程度の、高速オートフォーカスが可能で、像ぶれ補正機能を搭載し、結像特性が良好でコンパクトなズームレンズ系、またそのズームレンズ系を用いたカメラシステムを提供することが可能である。
【発明を実施するための最良の形態】
【００１３】
（実施の形態１〜７）
図１は、実施の形態１に係るズームレンズ系のレンズ配置図である。図５は、実施の形態２に係るズームレンズ系のレンズ配置図である。図９は、実施の形態３に係るズームレンズ系のレンズ配置図である。図１３は、実施の形態４に係るズームレンズ系のレンズ配置図である。図１７は、実施の形態５に係るズームレンズ系のレンズ配置図である。図２１は、実施の形態６に係るズームレンズ系のレンズ配置図である。図２５は、実施の形態７に係るズームレンズ系のレンズ配置図である。
【００１４】
図１、５、９、１３、１７、２１及び２５は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１５】
なお、各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第６レンズ群Ｇ６の最像側レンズ面との間）には、光学的ローパスフィルタや撮像素子のフェースプレート等と等価な平行平板Ｐが設けられている。さらに各図において、第３レンズ群Ｇ３の最像側レンズ面と第４レンズ群Ｇ４の最物体側レンズ面との間には、絞りＡが設けられている。
【００１６】
各実施の形態に係るズームレンズ系は、物体側から像側へ順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６とを備えている。
【００１７】
第１レンズ群Ｇ１は、実施の形態１乃至３では、物体側から像側へ順に、物体側に凸面を向けた正のパワーを持つ第１レンズ素子Ｌ１と、物体側に凸面を向けた負レンズ素子Ｌ２と、正レンズ素子Ｌ３とを接合してなる接合レンズ素子とからなる。一方、第１レンズ群Ｇ１は、実施の形態４乃至７では、物体側に凸面を向けた負レンズ素子Ｌ１と、正レンズ素子Ｌ２とを接合してなる接合レンズ素子と、物体側に凸面を向けた正のパワーを持つ第３レンズ素子Ｌ３とからなる。第１レンズ群Ｇ１の構成は、いずれを採用してもよいが、小型化の効果をより求める場合、実施の形態１乃至３を採用し、光学性能の効果より求める場合、実施の形態４乃至７を採用することが望ましい。
【００１８】
第２レンズ群Ｇ２は、物体側から像側へ順に、正のパワーを有する第４レンズ素子Ｌ４と負のパワーを有する第５レンズ素子Ｌ５とを接合してなる接合レンズ素子と、物体側に凹面を向けた負のパワーを有する第６レンズ素子Ｌ６とからなる。本発明のズームレンズ系では、広角端における第１レンズ群Ｇ１の像側主点と第２レンズ群Ｇ２の物体側主点との間隔は長くした方が諸収差の補正が有利となり、望遠端における第２レンズ群Ｇ２の像側主点と第３レンズ群Ｇ３の物体側主点の間隔は短くする方が諸収差の補正が有利となる傾向がある。そこで、第２レンズ群Ｇ２の最も物体側を接合レンズ素子とすると、第２レンズ群Ｇ２の物体側主点と像側主点とが像側に偏るために、第１レンズ群Ｇ１と第２レンズ群Ｇ２との最接近間隔と、第２レンズ群Ｇ２と第３レンズ群Ｇ３との最接近間隔とを共に必要量だけ確保した上で、諸収差を良好に補正することができるという効果があり、好ましい。
【００１９】
第３レンズ群Ｇ３は、正のパワーを有する第７レンズ素子と、正のパワーを有する第８レンズ素子Ｌ８と負のパワーを有する第９レンズ素子Ｌ９とを接合してなる接合レンズ素子とからなる。また、第４レンズ群Ｇ４は、負のパワーを有する第１０レンズ素子Ｌ１０と負のパワーを有する第１１レンズ素子Ｌ１１とを接合してなる接合レンズ素子のみからなる。
【００２０】
第５レンズ群Ｇ５は、物体側から像側へ順に、第５ａレンズ群と、当該第５ａレンズ群とズーミング時に変化しない空気間隔を介して配置される第５ｂレンズ群とからなる。第５ａレンズ群は、正のパワーを有する第１２レンズ素子Ｌ１２と、負のパワーを有する第１３レンズ素子Ｌ１３と、正のパワーを有する第１４レンズ素子Ｌ１４とからなる。第５ｂレンズ群は、負のパワーを有する第１５レンズ素子Ｌ１５と正のパワーを有する第１６レンズ素子Ｌ１６とを接合してなる接合レンズ素子のみからなる。
【００２１】
第６レンズ群Ｇ６は、物体側から像側へ順に、負のパワーを持つ第１７レンズ素子Ｌ１７と、正のパワーを有する第１８レンズ素子Ｌ１８と負のパワーを有する第１９レンズ素子Ｌ１９とを接合してなる接合レンズ素子とからなる。
【００２２】
各実施の形態のズームレンズ系は、ズーミングに際して、第１レンズ群Ｇ１と第２レンズ群Ｇ２の間の空気間隔が広角端より望遠端で長く、前記第３レンズ群Ｇ３と前記第４レンズ群Ｇ４の間の空気間隔が広角端より望遠端で長く、なるように各レンズ群の間の間隔を変化させる。具体的には、各実施の形態のズームレンズ系は、広角端から望遠端へのズーミングに際して、第１レンズ群Ｇ１は物体側へ移動し、第２レンズ群Ｇ２は像面Ｓに対して固定され、第３レンズ群Ｇ３乃至第６レンズ群Ｇ６は、互いの間隔を変化させながらすべて物体側へ移動する。また、フォーカシングに際して、第６レンズ群Ｇ６を光軸に沿って移動させている。具体的には、各実施の形態のズームレンズ系は、無限遠合焦状態から近接物体合焦状態へのフォーカシングに際して、第６レンズ群Ｇ６を像側へ移動させている。さらに、系全体の振動による像ぶれの補正に際して、第５ｂレンズ群を光軸と垂直な方向に平行移動させる。各実施の形態に係るズームレンズ系は、これら各レンズ群を所望のパワー配置にすることにより、高い光学性能を保持しつつ、レンズ系全体の小型化を可能にしている。
【００２３】
各実施の形態のズームレンズ系について、さらに詳しく説明する。各実施の形態のズームレンズ系は、広角端では、第１レンズ群Ｇ１と第２レンズ群Ｇ２とが接近し、第１レンズ群Ｇ１と第２レンズ群Ｇ２の合成パワーが負となり、第３レンズ群Ｇ３から第６レンズ群Ｇ６の合成パワーが正となるために、レンズ系全体がレトロフォーカス型の構成となる。第１レンズ群Ｇ１と第２レンズ群Ｇ２とを１つのレンズ群とすると、レンズ系全体が負正負正負と対称性の良いパワー配置となるため、軸外収差を補正しやすい。例えば、全変倍範囲で歪曲収差を小さくすることができる。
【００２４】
一方、各実施の形態のズームレンズ系は、望遠端では、第１レンズ群Ｇ１のパワーが正であり、第２レンズ群Ｇ２から第６レンズ群Ｇ６の合成パワーが負であり、第１レンズ群Ｇ１と第２レンズ群Ｇ２との間の空気間隔が長いため、レンズ系全体がテレフォト型のレンズ構成となる。そのため、望遠端では光学全長をレンズ系全体の焦点距離より短くすることができる。
【００２５】
また、各実施の形態のズームレンズ系は、レンズ系全体が６つのレンズ群で構成されているために、各レンズ群の変倍に対する負担が減り、レンズ系全体の諸収差を補正しやすい。さらに、各実施の形態のズームレンズ系は、撮影距離の変化による球面収差、像面湾曲の変化を小さくすることができ、高画質撮影可能な撮影範囲を広くすることができる。
【００２６】
各実施の形態のズームレンズ系は、第２レンズ群Ｇ２は常に位置固定とすることができる。この場合には、ズーミングのために移動するレンズ群は５つであり、それだけ鏡筒の部品点数を少なくすることができる。フォーカシングは、第６レンズ群Ｇ６を光軸に沿って移動させるようにしている。第６レンズ群Ｇ６は小さく軽いので、小型のモータやアクチュエータでも高速駆動が可能となり、高速オートフォーカスが可能になる。
【００２７】
レンズ系全体の焦点距離をｆ、手ぶれによるレンズ系の傾斜をθとすると、撮像素子の撮像面上での像偏心量ｅＭ は、次のように表せる。
ｅＭ＝ｆ・ｔａｎθ
上式から、像ぶれ角θが同じ場合、レンズ系全体の焦点距離ｆが長いほど像偏心量ｅＭが大きいことが分かる。すなわち、像ぶれはレンズ系全体の焦点距離が長くなるほど、ぼけが大きくなる。したがって、望遠端において実用上問題ないレベルに手振れ補正が実現できれば、他のズーム位置でも実用上問題ないレベルに手振れ補正を実現できる。
【００２８】
各実施の形態のズームレンズ系において、像のぶれを光学的に補正する場合、このように第５ｂレンズ群が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【００２９】
以下、例えば実施の形態１〜７に係るズームレンズ系のように、前記のごとき基本構成を有するズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００３０】
また、以下に説明するすべての条件は、特に断りのない限り、以下の２つの前提となる条件（Ａ）及び（Ｂ）の下でのみ成立するものとする。
３．８＜ｆT／ｆW    ・・・（Ａ）
ωT＜３．３          ・・・（Ｂ）
ここで、
ωT：望遠端での最大半画角（°）、
ｆT：望遠端における全系の焦点距離、
ｆW：広角端における全系の焦点距離
である。
【００３１】
実施の形態１〜７に係るズームレンズ系のように、前記のごとき基本構成を有するズームレンズ系は、以下の条件式（１）を満足することが好ましい
０．４＜ｆ1／ｆT＜０．７    ・・・（１）
ここで、
ｆ1：第１レンズ群の焦点距離、
ｆT：望遠端における全系の焦点距離
である。
【００３２】
条件式（１）は、第１レンズ群のパワーを規定することにより、第１レンズ群で発生する球面収差を良好に補正するとともに、光学全長を短くするための条件である。ｆ1／ｆTが条件式（１）の下限を越える場合には、第１レンズ群で発生する球面収差が過大となり、その球面収差を他のレンズ群で補正することが困難となる。また、ｆ1／ｆTが条件式（１）の上限を超える場合には、望遠端において第１レンズ群と第２レンズ群の間との空気間隔が長くなり、光学全長が長くなってしまう。
【００３３】
実施の形態１〜７に係るズームレンズ系のように、前記のごとき基本構成を有するズームレンズ系は、以下の条件式（２）を満足することが好ましい
０．１＜｜ｆ2｜／ｆT＜０．１６    ・・・（２）
ここで、
ｆ2：第２レンズ群の焦点距離、
ｆT：望遠端における全系の焦点距離
である。
【００３４】
条件式（２）は、第２レンズ群のパワーを規制することにより、望遠端における光学全長を短くするための条件である。｜ｆ2｜／ｆTが条件式（２）の下限を超える場合には、望遠端で、軸上光線の第２レンズ群における高さに比べて、第３レンズ群の最も物体側の面における高さが高くなるため、第６レンズ群の最も物体側の面で軸上光線の高さを低くするために必要な光軸方向の長さが長くなるため、光学全長が長くなってしまう。また、｜ｆ2｜／ｆTが条件式（２）の上限を超える場合には、広角端で第１レンズ群と第２レンズ群との合成パワーが弱くなるため、第２レンズ群と第３レンズ群の間の空気間隔が長くなるか、あるいはバックフォーカスが長くなり、いずれにしても広角端における光学全長が長くなってしまう。
【００３５】
実施の形態１〜７に係るズームレンズ系のように、前記のごとき基本構成を有するズームレンズ系は、以下の条件式（３）を満足することが好ましい
０．１＜｜ｆ4｜／ｆT＜０．３５    ・・・（３）
ここで、
ｆ4：第４レンズ群の焦点距離、
ｆT：望遠端における全系の焦点距離
である。
【００３６】
条件式（３）は、第４レンズ群のパワーを規制することにより、レンズ系全体の球面収差を良好にするとともに、撮影距離が変化した場合の球面収差と像面湾曲の変化のバランスを良好にするための条件である。｜ｆ4｜／ｆTが条件式（３）の下限を超える場合、第４レンズ群で発生する諸収差が過大となるため、この諸収差を他のレンズ群で補正しようとしても、コマ収差または非点収差が補正しきれない。また、｜ｆ4｜／ｆTが条件式（３）の上限を超える場合には、撮影距離の変化による球面収差の変化を第４レンズ群で補正することが困難となり、撮影距離が変化した場合の球面収差と像面湾曲のバランスを良くすることが困難となる。
【００３７】
実施の形態１〜７に係るズームレンズ系のように、前記のごとき基本構成を有するズームレンズ系は、以下の条件式（４）を満足することが好ましい
０．１８＜｜ｆ6｜／ｆT＜０．２６    ・・・（４）
ここで、
ｆ6：第６レンズ群の焦点距離、
ｆT：望遠端における全系の焦点距離
である。
【００３８】
条件式（４）は、第６レンズ群のパワーを規制することにより、光学全長を短くするとともに、手ぶれ補正時の第５ｂレンズ群の平行移動量を適切な値にし、諸収差を良好に補正するための条件である。｜ｆ6｜／ｆTが条件式（４）の下限を超える場合には、光学全長を短くするには有利であるが、第６レンズ群で発生するコマ収差、非点収差が過大となり、これらの軸外収差を他のレンズ群でバランス良く補正することが困難となる。また、｜ｆ6｜／ｆTが条件式（４）上限を越える場合には、望遠端における光学全長が長くなり、また、手ぶれ補正時の第５ｂレンズ群の平行移動量が過大となり、第５ｂレンズ群を平行移動させるためのアクチュエータが大型化してしまい、鏡筒をコンパクトにするが困難になる。
【００３９】
実施の形態１〜７に係るズームレンズ系のように、前記のごとき基本構成を有するズームレンズ系は、以下の条件式（５）を満足することが好ましい
０．２＜ｆ5b／ｆT＜０．３    ・・・（５）
ここで、
ｆ5b：第５ｂレンズ群の焦点距離、
ｆT：望遠端における全系の焦点距離
である。
【００４０】
条件式（５）は、像ぶれ補正のために平行移動させる第５ｂレンズ群の平行移動量を規制するための条件である。ｆ5b／ｆTが条件式（５）の下限を超える場合には、第５ｂレンズ群を構成する２枚のレンズ素子の外径がともに大きくなるため、第５ｂレンズ群が重くなり、第５ｂレンズ群を平行移動させるアクチュエータが大型化してしまい、鏡筒をコンパクトにするという本発明の意図に反してしまう。また、ｆ5b／ｆTが条件式（５）の上限を超える場合には、手ぶれ補正時の第５ｂレンズ群の平行移動量が大きくなり、アクチュエータが大型化してしまい、鏡筒をコンパクトにすることができない。
【００４１】
さらに、第５ｂレンズ群は、正のパワーを有するレンズ素子と、負のパワーを有するレンズ素子とからなり、以下の条件式（６）を満足することが望ましい。
ｎp＞１．６５    ・・・（６）
ここで、
ｎp：第５ｂレンズ群の正レンズ素子の屈折率
である。
【００４２】
条件式（６）は、第５ｂレンズ群を構成する正レンズの屈折率を規定することにより、像ぶれ補正時の偏心コマ収差、偏心非点収差を良好に補正するための条件である。ｎpが条件式（６）を満足しない場合には、偏心コマ収差または偏心非点収差のいずれかが過大となるため、像ぶれ補正時に画面の一部の領域のみ結像特性が低くなってしまう。
【００４３】
実施の形態１〜７に係るズームレンズ系のように、前記のごとき基本構成を有するズームレンズ系は、以下の条件式（７）を満足することが好ましい
２．１＜β6T＜２．７    ・・・（７）
ここで、
β6T：第６レンズ群の望遠端における無限遠合焦状態の倍率
である。
【００４４】
条件式（７）は、第６レンズ群の望遠端における倍率を規定することにより、光学全長を短くするとともに、手ぶれ補正時の第５ｂレンズ群の平行移動量を適切な値にし、諸収差を良好に補正するための条件である。β6Tが条件式（７）の下限を超える場合には、望遠端における光学全長が長くなり、また、手ぶれ補正時の第５ｂレンズ群の平行移動量が過大となり、第５ｂレンズ群を平行移動させるためのアクチュエータが大型化してしまい、鏡筒をコンパクトにするが困難になる。また、β6Tが条件式（７）上限を越える場合には、光学全長を短くするには有利であるが、第６レンズ群で発生するコマ収差、非点収差が過大となり、これらの軸外収差を他のレンズ群でバランス良く補正することが困難となる。
【００４５】
（実施の形態８）
図２９は、実施の形態８に係るカメラシステムの概略図である。図２９において、カメラシステムは、交換レンズ装置３００と、カメラ本体４００とを主として構成されている。交換レンズ装置３００は、カメラ本体４００に対して着脱可能である。交換レンズ装置３００は、内部に撮像レンズ系３０１を保持している。撮像レンズ系３０１は、上述した実施の形態１〜７のいずれかのズームレンズ系である。カメラ本体は、例えば、光路を切り替えるためのクイックリターンミラー４０１と、ズームレンズ系が形成する光学像を受光して、電気的な画像信号に変換する撮像素子４０２と、液晶ディスプレイ４０３と、焦点板４０４と、ペンタプリズム４０５と、接眼レンズ系４０６とを含む。
【００４６】
実施の形態８に係るカメラシステムは、実施の形態１〜７のいずれかのズームレンズ系を備えているので、良好な光学像に基づいて電気的な画像信号を生成することができる。
【実施例】
【００４７】
以下、実施の形態１〜７に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【００４８】
図２は、実施例１に係るズームレンズ系の無限遠合焦状態の縦収差図である。図６は、実施例２に係るズームレンズ系の無限遠合焦状態の縦収差図である。図１０は、実施例３に係るズームレンズ系の無限遠合焦状態の縦収差図である。図１４は、実施例４に係るズームレンズ系の無限遠合焦状態の縦収差図である。図１８は、実施例５に係るズームレンズ系の無限遠合焦状態の縦収差図である。図２２は、実施例６に係るズームレンズ系の無限遠合焦状態の縦収差図である。図２６は、実施例７に係るズームレンズ系の無限遠合焦状態の縦収差図である。
【００４９】
図３は、実施例１に係るズームレンズ系の近接物体合焦状態（物体距離４ｍ）の縦収差図である。図７は、実施例２に係るズームレンズ系の近接物体合焦状態（物体距離４ｍ）の縦収差図である。図１１は、実施例３に係るズームレンズ系の近接物体合焦状態（物体距離４ｍ）の縦収差図である。図１５は、実施例４に係るズームレンズ系の近接物体合焦状態（物体距離４ｍ）の縦収差図である。図１９は、実施例５に係るズームレンズ系の近接物体合焦状態（物体距離４ｍ）の縦収差図である。図２３は、実施例６に係るズームレンズ系の近接物体合焦状態（物体距離４ｍ）の縦収差図である。図２７は、実施例７に係るズームレンズ系の近接物体合焦状態（物体距離４ｍ）の縦収差図である。
【００５０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００５１】
図４は、実施例１に係るズームレンズ系の望遠端における、像ぶれ補正を行っていない基本状態及び像ぶれ補正状態での横収差図である。図８は、実施例２に係るズームレンズ系の望遠端における、像ぶれ補正を行っていない基本状態及び像ぶれ補正状態での横収差図である。図１２は、実施例３に係るズームレンズ系の望遠端における、像ぶれ補正を行っていない基本状態及び像ぶれ補正状態での横収差図である。図１６は、実施例４に係るズームレンズ系の望遠端における、像ぶれ補正を行っていない基本状態及び像ぶれ補正状態での横収差図である。図２０は、実施例５に係るズームレンズ系の望遠端における、像ぶれ補正を行っていない基本状態及び像ぶれ補正状態での横収差図である。図２４は、実施例６に係るズームレンズ系の望遠端における、像ぶれ補正を行っていない基本状態及び像ぶれ補正状態での横収差図である。図２８は、実施例７に係るズームレンズ系の望遠端における、像ぶれ補正を行っていない基本状態及び像ぶれ補正状態での横収差図である。
【００５２】
各横収差図において、上段３つの収差図は、望遠端における像ぶれ補正を行っていない基本状態、下段３つの収差図は、第５ｂレンズ群全体を光軸と垂直な方向に所定量移動させた望遠端における像ぶれ補正状態に、それぞれ対応する。基本状態の各横収差図のうち、上段は最大像高の＋７０％の像点における横収差、中段は軸上像点における横収差、下段は最大像高の−７０％の像点における横収差に、それぞれ対応する。像ぶれ補正状態の各横収差図のうち、上段は最大像高の＋７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第５ｂレンズ群の光軸とを含む平面としている。
【００５３】
なお、像ぶれ補正状態での第５ｂレンズ群の光軸と垂直な方向への移動量は、望遠端において、実施例１が０．４９８ｍｍ、実施例２が０．５０４ｍｍ、実施例３が０．５０２ｍｍ、実施例４が０．６３４ｍｍ、実施例５が０．６１８ｍｍ、実施例６が０．６１８ｍｍ、実施例７が０．６１８ｍｍである。なお、撮影距離が∞で望遠端において、ズームレンズ系が約０．２５°だけ傾いた場合の像偏心量は、第５ｂレンズ群全体が光軸と垂直な方向に上記の各値だけ平行移動するときの像偏心量に等しい。
【００５４】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、約０．２５°までの像ぶれ補正角に対して、結像特性を低下させることなく充分な像ぶれ補正を行うことが可能である。
【００５５】
（数値実施例１）
数値実施例１のズームレンズ系は、図１に示した実施の形態１に対応する。数値実施例１のズームレンズ系の面データを表１に、各種データを表２に示す。
【００５６】
表  １（面データ）
面番号         r           d           nd         vd
1         70.26600     3.18000     1.48749    70.4 
2        271.90200     0.20000 
3         58.17900     1.60000     1.80610    33.3 
4         37.27500     5.80000     1.49700    81.6 
5        807.29500        可変
6        128.23200     2.45000     1.80518    25.5 
7        -45.73000     0.90000     1.71300    53.9 
8         27.07600     2.94600 
9        -25.81600     0.90000     1.62299    58.1 
10      -4564.74100        可変
11         51.86000     3.02000     1.49700    81.6 
12        -36.08900     0.15000 
13         38.92200     2.20000     1.60311    60.7 
14       -222.70400     0.90000     1.67270    32.2 
15         83.91000     2.00000 
16(絞り)           ∞        可変
17        -25.21500     0.90000     1.60311    60.7 
18         87.92100     1.71000     1.64769    33.8 
19       -107.17800        可変
20       -237.28500     2.06000     1.48749    70.4 
21        -35.93200     0.15000 
22        113.33600     0.90000     1.80518    25.5 
23         33.37700     0.42400 
24         50.31100     2.53000     1.51680    64.2 
25        -72.23900     0.80000 
26         33.72800     3.32000     1.77250    49.6 
27        -67.96000     0.70000     1.80518    25.5 
28       1072.43900        可変
29        125.35800     0.90000     1.83481    42.7 
30         17.70400     0.60000 
31         17.46600     4.06000     1.68893    31.2 
32        -53.83700     0.90000     1.77250    49.6 
33         32.62200        可変
34               ∞     4.60000     1.51680    64.2
35               ∞     0.99973
像面             ∞
【００５７】
表２  （各種データ）
ズーム比     3.84276
広角      中間      望遠
焦点距離      51.0024   99.9796  195.9903
Ｆナンバー     4.01723   4.86955   5.81192
画角        12.3035    6.2293    3.1761
像高        11.0000   11.0000   11.0000
光学全長     129.7258  153.3123  169.4992
ＢＦ        0.99997   1.00050   0.99973
d5           2.3310   25.9171   42.1047 
d10         15.6740   10.4224    3.2793 
d16          4.2923    6.9363   11.4821 
d19         13.7118    8.1835    3.3093 
d28          9.9421    6.8762    1.7166 
d33         31.9746   43.1763   55.8075 
【００５８】
（数値実施例２）
数値実施例２のズームレンズ系は、図５に示した実施の形態２に対応する。数値実施例２のズームレンズ系の面データを表３に、各種データを表４に示す。
【００５９】
表  ３（面データ）
面番号         r           d           nd         vd
1         69.41900     3.18000     1.48749    70.4 
2        258.63300     0.20000 
3         58.15700     1.60000     1.80610    33.3 
4         37.24100     5.80000     1.49700    81.6 
5        787.44800        可変
6        126.32700     2.46000     1.80518    25.5 
7        -45.61000     0.90000     1.71300    53.9 
8         27.03600     2.95900 
9        -25.64700     0.90000     1.62299    58.1 
10      -2019.57400        可変
11         52.03700     3.03000     1.49700    81.6 
12        -35.95700     0.15000 
13         38.84900     2.21000     1.60311    60.7 
14       -220.41300     0.90000     1.67270    32.2 
15         82.92800     2.00000 
16(絞り)           ∞        可変
17        -25.17300     0.90000     1.60311    60.7 
18         84.16200     1.75000     1.64769    33.8 
19       -107.92900        可変
20       -213.08900     2.07000     1.48749    70.4 
21        -35.40000     0.15000 
22        115.81300     0.90000     1.80518    25.5 
23         33.54900     0.44200 
24         51.80800     2.59000     1.51680    64.2 
25        -66.05000     0.80000 
26         31.73000     3.23000     1.72916    54.7 
27        -90.75500     0.70000     1.80518    25.5 
28       1092.26900        可変
29        131.79100     0.90000     1.83481    42.7 
30         17.48700     0.60000 
31         17.30100     4.09000     1.68893    31.2 
32        -56.42900     0.90000     1.77250    49.6 
33         33.28600        可変
34               ∞     4.60000     1.51680    64.2
35               ∞     1.00028
像面             ∞
【００６０】
表４  （各種データ）
ズーム比     3.84300
広角      中間      望遠
焦点距離      51.0001   99.9789  195.9933
Ｆナンバー     4.01054   4.86160   5.81089
画角        12.3152    6.2335    3.1772
像高        11.0000   11.0000   11.0000
光学全長     129.8770  153.5561  169.7665
ＢＦ        1.00037   1.00009   1.00028
d5           2.3469   26.0261   42.2364 
d10         15.6607   10.4506    3.2807 
d16          4.3093    6.9635   11.4685 
d19         13.7053    8.1636    3.3678 
d28          9.9591    6.8699    1.7322 
d33         31.9843   43.1713   55.7696 
【００６１】
（数値実施例３）
数値実施例３のズームレンズ系は、図９に示した実施の形態３に対応する。数値実施例３のズームレンズ系の面データを表５に、各種データを表６に示す。
【００６２】
表  ５（面データ）
面番号         r           d           nd         vd
1         69.85000     3.15000     1.48749    70.4 
2        257.22000     0.20000 
3         57.33400     1.60000     1.80610    33.3 
4         37.16600     5.80000     1.49700    81.6 
5        760.35000        可変
6        128.74000     2.45000     1.80518    25.5 
7        -45.67000     0.90000     1.71300    53.9 
8         26.96000     2.96300 
9        -25.64400     0.90000     1.62299    58.1 
10      -2716.20000        可変
11         51.35400     3.03000     1.49700    81.6 
12        -36.00500     0.15000 
13         39.20600     2.36000     1.60311    60.7 
14       -125.99000     0.90000     1.67270    32.2 
15         82.75200     2.00000 
16(絞り)           ∞        可変
17        -24.97200     0.90000     1.60311    60.7 
18         56.07400     2.03000     1.64769    33.8 
19        -99.89100        可変
20       -204.76000     2.02000     1.48749    70.4 
21        -36.40000     0.15000 
22        145.01000     0.90000     1.80518    25.5 
23         34.84500     0.47600 
24         57.69900     2.66000     1.51680    64.2 
25        -53.90000     0.80000 
26         29.84600     3.32000     1.69680    55.5 
27        -93.84000     0.70000     1.80518    25.5 
28       1025.18000        可変
29        141.09500     0.90000     1.83481    42.7 
30         17.40300     0.60000 
31         17.26300     4.06000     1.68893    31.2 
32        -58.43400     0.90000     1.77250    49.6 
33         33.98300        可変
34               ∞     4.60000     1.51680    64.2
35               ∞     0.99982
像面             ∞
【００６３】
表６  （各種データ）
ズーム比     3.84306
広角      中間      望遠
焦点距離      51.0007   99.9810  195.9989
Ｆナンバー     4.00357   4.83714   5.78215
画角        12.3228    6.2370    3.1783
像高        11.0000   11.0000   11.0000
光学全長     130.3224  154.0270  169.9736
ＢＦ        1.00005   1.00043   0.99982
d5           2.3125   26.0167   41.9640 
d10         15.4807   10.5000    3.2811 
d16          4.3419    6.9833   11.3888 
d19         13.7357    8.1071    3.3666 
d28         10.0717    6.8389    1.7313 
d33         31.9609   43.1616   55.8230 
【００６４】
（数値実施例４）
数値実施例４のズームレンズ系は、図１３に示した実施の形態４に対応する。数値実施例４のズームレンズ系の面データを表７に、各種データを表８に示す。
【００６５】
表  ７（面データ）
面番号         r           d           nd         vd
1         72.75400     1.77000     1.80610    33.3 
2         47.31300     5.88000     1.49700    81.6 
3        375.29800     0.20800 
4         92.73800     3.87000     1.49700    81.6 
5      -1170.85900        可変
6        104.42600     2.89000     1.80518    25.5 
7        -56.11200     0.93000     1.69680    55.5 
8         27.58400     3.38500 
9        -35.39300     0.94000     1.48749    70.4 
10         69.12300        可変
11         38.89200     3.33000     1.49700    81.6 
12        -66.37000     0.20800 
13         27.38400     3.96000     1.48749    70.4 
14        -64.46800     1.04000     1.80518    25.5 
15        406.00600        可変
16(絞り)           ∞      3.00000 
17        -22.97800     2.15000     1.80610    33.3 
18        -12.50000     0.70000     1.69680    55.5 
19         68.07200        可変
20       -103.27400     2.22000     1.51680    64.2 
21        -22.74100     0.20800 
22        133.98400     3.31000     1.56384    60.8 
23        -18.79000     0.72800     1.80610    40.7 
24        -51.52500     0.48800 
25         36.23600     3.05000     1.72916    54.7 
26        -37.79900     0.73000     1.72825    28.3 
27        386.76000        可変
28         76.49400     0.73000     1.75500    52.3 
29         18.29700     0.80000 
30         18.20500     3.27000     1.64769    33.8 
31       -137.18600     0.73000     1.77250    49.6 
32         30.91000        可変
33               ∞     4.60000     1.51680    64.2
34               ∞     0.99990
像面             ∞
【００６６】
表８  （各種データ）
ズーム比     3.84258
広角      中間      望遠
焦点距離      51.0022   99.9786  195.9796
Ｆナンバー     4.12088   4.84317   5.60097
画角        12.1828    6.1864    3.1643
像高        11.0000   11.0000   11.0000
光学全長     136.5384  162.3097  179.6471
ＢＦ        1.00003   0.99980   0.99990
d5           3.9366   29.7081   47.0455 
d10         17.4097   10.8609    3.9819 
d15          9.2444   11.8630   15.3296 
d19          8.9072    5.9928    2.1744 
d27          9.5425    7.1668    1.5459 
d32         31.3730   40.5933   53.4449 
【００６７】
（数値実施例５）
数値実施例５のズームレンズ系は、図１７に示した実施の形態５に対応する。数値実施例５のズームレンズ系の面データを表９に、各種データを表１０に示す。
【００６８】
表  ９（面データ）
面番号         r           d           nd         vd
1         72.92800     1.70000     1.80610    33.3 
2         47.58400     5.81000     1.49700    81.6 
3        355.60600     0.20000 
4         93.04300     3.84000     1.49700    81.6 
5      -1292.04200        可変
6        106.46000     2.80000     1.80518    25.5 
7        -58.69300     1.00000     1.69680    55.5 
8         27.58400     3.39000 
9        -35.32400     0.93000     1.48749    70.4 
10         71.31300        可変
11         40.48200     3.29000     1.49700    81.6 
12        -64.72400     0.20000 
13         27.01400     3.95000     1.48749    70.4 
14        -66.63500     1.00000     1.80518    25.5 
15        542.40500        可変
16(絞り)           ∞      3.00000 
17        -23.19800     2.13000     1.80610    33.3 
18        -12.62800     0.75000     1.69680    55.5 
19         67.33500        可変
20        -90.91500     2.25000     1.51680    64.2 
21        -21.79900     0.20000 
22        122.46800     3.37000     1.56384    60.8 
23        -18.48600     0.75000     1.80610    40.7 
24        -56.20500     0.50000 
25         35.33200     3.10000     1.72916    54.7 
26        -37.20300     0.75000     1.72825    28.3 
27        388.35300        可変
28               ∞     0.00000
29         90.89800     0.75000     1.77250    49.6 
30         19.17500     0.80000 
31         19.12000     3.13000     1.67270    32.2 
32       -153.43400     0.75000     1.77250    49.6 
33         31.40000        可変
34               ∞     4.60000     1.51680    64.2
35               ∞     1.00000
像面             ∞
【００６９】
表１０  （各種データ）
ズーム比     3.84316
広角      中間      望遠
焦点距離      50.9998   99.9798  196.0001
Ｆナンバー     4.07509   4.78302   5.54165
画角        12.3667    6.2780    3.2070
像高        11.1820   10.9990   10.9820
光学全長     136.1616  162.3840  179.8948
ＢＦ        0.99975   0.99974   1.00000
d5           3.9370   30.1593   47.6690 
d10         17.3561   10.7424    3.8401 
d15          9.2079   11.8077   15.3253 
d19          9.0498    6.1354    2.1744 
d27          9.3330    6.9926    1.6070 
d34         31.3380   40.6069   53.3390 
【００７０】
（数値実施例６）
数値実施例６のズームレンズ系は、図２１に示した実施の形態６に対応する。数値実施例６のズームレンズ系の面データを表１１に、各種データを表１２に示す。
【００７１】
表  １１（面データ）
面番号         r           d           nd         vd
1         73.66000     1.70000     1.80610    33.3 
2         46.74900     5.75000     1.49700    81.6 
3        288.49700     0.20000 
4         86.79800     4.15000     1.48749    70.4 
5       -776.18100        可変
6        108.92600     2.79000     1.80518    25.5 
7        -58.57100     1.00000     1.69680    55.5 
8         27.27200     3.34000 
9        -37.14700     0.93000     1.48749    70.4 
10         72.02000        可変
11         39.98100     3.29000     1.49700    81.6 
12        -65.91900     0.20000 
13         26.59500     4.01000     1.48749    70.4 
14        -65.42000     1.00000     1.80518    25.5 
15        473.28200        可変
16(絞り)           ∞      3.00000 
17        -23.03300     2.17000     1.80610    33.3 
18        -12.44600     0.75000     1.69680    55.5 
19         67.69200        可変
20        -85.30600     2.24000     1.51680    64.2 
21        -21.62600     0.20000 
22        114.28500     3.42000     1.56384    60.8 
23        -18.37200     0.75000     1.80610    40.7 
24        -56.40500     0.50000 
25         35.49100     3.05000     1.72916    54.7 
26        -38.39800     0.75000     1.72825    28.3 
27        373.84800        可変
28         91.37400     0.75000     1.77250    49.6 
29         19.41600     0.80000 
30         19.30700     3.11000     1.67270    32.2 
31       -154.25100     0.75000     1.77250    49.6 
32         31.15000        可変
33               ∞     4.60000     1.51680    64.2
34               ∞     0.99977
像面             ∞
【００７２】
表１２  （各種データ）
ズーム比     3.84277
広角      中間      望遠
焦点距離      51.0017   99.9821  195.9878
Ｆナンバー     4.07161   4.77163   5.58817
画角        12.1666    6.1849    3.1660
像高        11.0000   11.0000   11.0000
光学全長     136.5435  163.0256  180.0212
ＢＦ        0.99986   1.00022   0.99977
d5           3.8956   30.3775   47.3733 
d10         17.4195   10.7987    3.6973 
d15          9.0576   11.6208   15.2607 
d19          9.3084    6.4384    2.1744 
d27          9.2979    6.8410    1.8269 
d32         31.3646   40.7490   53.4888 
【００７３】
（数値実施例７）
数値実施例７のズームレンズ系は、図２５に示した実施の形態７に対応する。数値実施例７のズームレンズ系の面データを表１３に、各種データを表１４に示す。
【００７４】
表  １３（面データ）
面番号         r           d           nd         vd
1         81.45500     1.70000     1.74950    35.0 
2         48.56500     5.66000     1.49700    81.6 
3        343.86800     0.20000 
4         85.25500     4.14000     1.49700    81.6 
5       -986.18000        可変
6        107.89700     2.76000     1.80518    25.5 
7        -60.67700     1.00000     1.69680    55.5 
8         27.57700     3.38000 
9        -35.65600     0.93000     1.48749    70.4 
10         74.16900        可変
11         41.33100     3.29000     1.49700    81.6 
12        -63.01500     0.20000 
13         26.68500     3.97000     1.48749    70.4 
14        -68.08400     1.00000     1.80518    25.5 
15        514.81500        可変
16(絞り)           ∞      3.00000 
17        -23.22800     2.14000     1.80610    33.3 
18        -12.60000     0.75000     1.69680    55.5 
19         66.04200        可変
20        -92.34600     2.27000     1.51680    64.2 
21        -21.69300     0.20000 
22        127.09800     3.38000     1.56384    60.8 
23        -18.40500     0.75000     1.80610    40.7 
24        -56.57700     0.50000 
25         35.65500     3.09000     1.72916    54.7 
26        -36.90300     0.75000     1.72825    28.3 
27        429.21000        可変
28         93.17700     0.75000     1.77250    49.6 
29         19.31300     0.80000 
30         19.18900     3.15000     1.67270    32.2 
31       -137.14000     0.75000     1.77250    49.6 
32         31.35500        可変
33               ∞     4.60000     1.51680    64.2
34               ∞     0.99978
像面             ∞
【００７５】
表１４  （各種データ）
ズーム比     3.84297
広角      中間      望遠
焦点距離      51.0063   99.9930  196.0157
Ｆナンバー     4.09171   4.79964   5.56873
画角        12.1831    6.1876    3.1651
像高        11.0000   11.0000   11.0000
光学全長     136.1719  162.4083  179.8314
ＢＦ        0.99992   0.99986   0.99978
d5           3.9335   30.1698   47.5930 
d10         17.3089   10.6816    3.6971 
d15          8.8817   11.6133   15.2900 
d19          9.2150    6.2477    2.1744 
d27          9.3407    6.9493    1.6247 
d32         31.3822   40.6367   53.3424 
【００７６】
以下の表１５に、各数値実施例のズームレンズ系における各条件の対応値を示す。
【００７７】
表  １５（条件の対応値）
条件式  実施例１  実施例２  実施例３  実施例４  実施例５  実施例６  実施例７
（１）    0.500     0.501     0.495     0.571     0.579     0.581     0.580
（２）    0.120     0.120     0.119     0.138     0.138     0.139     0.139
（３）    0.298     0.297     0.308     0.139     0.139     0.139     0.139
（４）    0.197     0.197     0.197     0.243     0.240     0.239     0.238
（５）    0.235     0.238     0.237     0.278     0.270     0.273     0.271
（６）  1.77250   1.72916   1.69680   1.72916   1.72916   1.72916   1.72916
（７）    2.569     2.570     2.577     2.218     2.232     2.239     2.242
【産業上の利用可能性】
【００７８】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。特に、本発明は、カメラ本体に対して着脱可能な交換レンズ装置に好適である。
【図面の簡単な説明】
【００７９】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の近接物体合焦状態（物体距離４ｍ）の縦収差図
【図４】実施例１に係るズームレンズ系の望遠端における、像ぶれ補正を行っていない基本状態及び像ぶれ補正状態での横収差図
【図５】実施の形態２（実施例２）に係るズームレンズ系の無限遠合焦状態を示すレンズ配置図
【図６】実施例２に係るズームレンズ系の無限遠合焦状態の縦収差図
【図７】実施例２に係るズームレンズ系の近接物体合焦状態（物体距離４ｍ）の縦収差図
【図８】実施例２に係るズームレンズ系の望遠端における、像ぶれ補正を行っていない基本状態及び像ぶれ補正状態での横収差図
【図９】実施の形態３（実施例３）に係るズームレンズ系の無限遠合焦状態を示すレンズ配置図
【図１０】実施例３に係るズームレンズ系の無限遠合焦状態の縦収差図
【図１１】実施例３に係るズームレンズ系の近接物体合焦状態（物体距離４ｍ）の縦収差図
【図１２】実施例３に係るズームレンズ系の望遠端における、像ぶれ補正を行っていない基本状態及び像ぶれ補正状態での横収差図
【図１３】実施の形態４（実施例４）に係るズームレンズ系の無限遠合焦状態を示すレンズ配置図
【図１４】実施例４に係るズームレンズ系の無限遠合焦状態の縦収差図
【図１５】実施例４に係るズームレンズ系の近接物体合焦状態（物体距離４ｍ）の縦収差図
【図１６】実施例４に係るズームレンズ系の望遠端における、像ぶれ補正を行っていない基本状態及び像ぶれ補正状態での横収差図
【図１７】実施の形態５（実施例５）に係るズームレンズ系の無限遠合焦状態を示すレンズ配置図
【図１８】実施例５に係るズームレンズ系の無限遠合焦状態の縦収差図
【図１９】実施例５に係るズームレンズ系の近接物体合焦状態（物体距離４ｍ）の縦収差図
【図２０】実施例５に係るズームレンズ系の望遠端における、像ぶれ補正を行っていない基本状態及び像ぶれ補正状態での横収差図
【図２１】実施の形態６（実施例６）に係るズームレンズ系の無限遠合焦状態を示すレンズ配置図
【図２２】実施例６に係るズームレンズ系の無限遠合焦状態の縦収差図
【図２３】実施例６に係るズームレンズ系の近接物体合焦状態（物体距離４ｍ）の縦収差図
【図２４】実施例６に係るズームレンズ系の望遠端における、像ぶれ補正を行っていない基本状態及び像ぶれ補正状態での横収差図
【図２５】実施の形態７（実施例７）に係るズームレンズ系の無限遠合焦状態を示すレンズ配置図
【図２６】実施例７に係るズームレンズ系の無限遠合焦状態の縦収差図
【図２７】実施例７に係るズームレンズ系の近接物体合焦状態（物体距離４ｍ）の縦収差図
【図２８】実施例７に係るズームレンズ系の望遠端における、像ぶれ補正を行っていない基本状態及び像ぶれ補正状態での横収差図
【図２９】実施の形態８に係るカメラシステムの概略図
【符号の説明】
【００８０】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ａ    絞り
【図１】
2008304857.tif 000003
【図２】
2008304857.tif 000004
【図３】
2008304857.tif 000005
【図４】
2008304857.tif 000006
【図５】
2008304857.tif 000007
【図６】
2008304857.tif 000008
【図７】
2008304857.tif 000009
【図８】
2008304857.tif 000010
【図９】
2008304857.tif 000011
【図１０】
2008304857.tif 000012
【図１１】
2008304857.tif 000013
【図１２】
2008304857.tif 000014
【図１３】
2008304857.tif 000015
【図１４】
2008304857.tif 000016
【図１５】
2008304857.tif 000017
【図１６】
2008304857.tif 000018
【図１７】
2008304857.tif 000019
【図１８】
2008304857.tif 000020
【図１９】
2008304857.tif 000021
【図２０】
2008304857.tif 000022
【図２１】
2008304857.tif 000023
【図２２】
2008304857.tif 000024
【図２３】
2008304857.tif 000025
【図２４】
2008304857.tif 000026
【図２５】
2008304857.tif 000027
【図２６】
2008304857.tif 000028
【図２７】
2008304857.tif 000029
【図２８】
2008304857.tif 000030
【図２９】
2008304857.tif 000031